(57)【要約】【課題】  ドライバーまたは釘抜きなどが前扉と内枠との間に挿入されて不正な外力が加えられたときを、確実に検出することができるパチンコ機を提供する。【解決手段】  前扉４を正面視したときに左右の各側部に設けられた上下一対のヒンジ部４ａ，４ｂまたは係止部３１ａ，３１ｂの中央部に金属抵抗歪ゲージ７２を設ける。金属抵抗歪ゲージ７２の歪検出方向ｘは各側部の左右方向に一致させる。この結果、ドライバーなどによって前扉をこじ開けることによって生じた前扉の側部に生じた撓みによる歪を効率よく検出することができる。【選択図】      図１
2008125848.tif 000002
【特許請求の範囲】
【請求項１】
遊技盤が設けられる内枠と、前記遊技盤に設けられた遊技領域を覆う透明窓部を有する前扉とを含み、前記前扉は、その前扉を正面視したときに左右の各側部のうち一側部が上下一対のヒンジ部によって前記内枠に開閉可能に連結され、他側部には前記前扉と前記内枠とを係止するための上下一対の係止部が設けられるパチンコ機において、
前記前扉の一側部における前記一対のヒンジ部間の中央部および他側部における前記一対の係止部間の中央部のうち少なくとも一方に設けられる歪検出素子と、
前記歪検出素子からの出力に基づいて、この出力が予め定める判定基準を満たしたとき、報知のための信号を出力する判定手段とを含むことを特徴とするパチンコ機。
【請求項２】
前記歪検出素子は、前記前扉を正面視したとき左右方向の歪を検出するように取付けられることを特徴とする請求項１記載のパチンコ機。
【発明の詳細な説明】
【技術分野】
【０００１】
本発明は、不正行為を検出する不正検出手段を備えたパチンコ機に関する。
【背景技術】
【０００２】
パチンコ機では、島設備に取付けられた正面視して長方形状の外枠に対して、遊技盤が設けられた内枠が、左側部に設けられた上下一対のヒンジ部を介して開閉自在に軸支され、さらにこの内枠に対してガラス窓部が設けられた前扉が、左側部に設けられた上下一対のヒンジ部を介して開閉自在に軸支された構造をしている。そしてパチンコ機の遊技領域は、前記遊技盤の前扉側に設けられ、この遊技領域を覆う位置に前扉のガラス窓部が配置される。また前扉の下方には、払い出された賞球を受けるための上皿および下皿が取付けられている。これら前扉および内枠を閉鎖して施錠するために、ヒンジ部と反対側の右側部に上下一対の係止部が設けられている。係止部および前述のヒンジ部は、遊技領域を出来るだけ大きく確保するために、各側部の中央部への配置を避けて上下へ配置される。
【０００３】
上記構成のパチンコ機に対する不正行為の１つとして、前扉と内枠との間をドライバーまたは釘抜きなどを用いてこじ開けて、ピアノ線などを遊技領域に挿入し、始動入賞口の直上にある一対の入賞率調整用のへそ釘を傾けたり、大入賞口の前面に設けられる開閉扉を開放したりして、遊技球の入賞確率を増加させる行為がある。
【０００４】
このようにドライバーなどを用いる場合の他に、パチンコ台を揺すったり叩いたりする場合など、パチンコ機に不正な外力が加えられた場合を検出する技術として、前扉の開閉状態を検出するためのマイクロスイッチを設けたり、振動検出装置を設けたりする技術が知られている（たとえば特許文献１参照）。
【０００５】
【特許文献１】特開昭６２−２２１３８０号公報
【発明の開示】
【発明が解決しようとする課題】
【０００６】
しかしながら、特許文献１に記載される振動検出装置を用いて不正行為を検出する場合には、パチンコ台を手で押さえるなど、不正行為と言えないようなものまでが誤検出される可能性がある。また特許文献１に記載されるマイクロスイッチを前扉と内枠との間に設ける場合には、マイクロスイッチが設けられていない場所が局所的にこじ開けられたときには不正行為を検出できない可能性がある。このような局所的なこじ開け行為を漏れなく検出しようとすると、多数のマイクロスイッチを前扉と内枠との間に取付ける必要があり不都合である。
【０００７】
したがって、本発明の目的は、ドライバーまたは釘抜きなどが前扉と内枠との間に挿入されて不正な外力が加えられたときを、確実に検出することができるパチンコ機を提供することである。
【課題を解決するための手段】
【０００８】
本発明は、遊技盤が設けられる内枠と、前記遊技盤に設けられた遊技領域を覆う透明窓部を有する前扉とを含み、前記前扉は、その前扉を正面視したときに左右の各側部のうち一側部が上下一対のヒンジ部によって前記内枠に開閉可能に連結され、他側部には前記前扉と前記内枠とを係止するための上下一対の係止部が設けられるパチンコ機において、
前記前扉の一側部における前記一対のヒンジ部間の中央部および他側部における前記一対の係止部間の中央部のうち少なくとも一方に設けられる歪検出素子と、
前記歪検出素子からの出力に基づいて、この出力が予め定める判定基準を満たしたとき、報知のための信号を出力する判定手段とを含むことを特徴とするパチンコ機である。
【０００９】
また本発明は、前記歪検出素子は、前記前扉を正面視したとき左右方向の歪を検出するように取付けられることを特徴とする。
【発明の効果】
【００１０】
本発明によれば、前扉の一側部における上下一対のヒンジ部間の中央部、および他側部における上下一対の係止部間の中央部のうち、少なくとも一方に歪検出素子が設けられる。歪検出素子をこのように各側部の中央部に配置するのは、以下の理由による。
【００１１】
ドライバーまたは釘抜きなどを用いてパチンコ機の前扉と内枠との間を不正にこじ開ける場合について検討すると、前扉の下方からこじ開けるのは、上皿および下皿があるので容易ではなく、また前扉の上方からこじ開けるのは、他人の目に触れ易い。したがって、不正行為を行う者は、通常、前扉の側方からこじ開けるものと考えられる。
【００１２】
前扉の側方からこじ開ける場合、各側部の上下はヒンジ部または係止部によって固定されているので、不正行為者は、ヒンジ部または係止部が設けられていない部分にドライバーなどを挿入することになる。そして挿入したドライバーなどによって前扉の側部を構成する部材を撓ませることによって、前扉と内枠との間に隙間を生じさせて針金などを遊技領域内に挿入する。ここで、各ヒンジ部間または各係止部間の中央部をこじ開ける場合が、前扉の撓みが最も大きくなり、前扉と内枠との間に生じる隙間も最大になる。こじ開ける位置が、中央部からずれてヒンジ部または係止部に近づくほど、前扉と内枠との間に隙間を生じさせるために大きな力が必要になる。したがって、不正行為者は、なるべく各側部の中央部に近い位置をこじ開けるものと考えられる。
【００１３】
また、前扉の側部を構成する部材に外力が加えられて撓みが生じる場合は、外力が加えられた位置の表面で、圧縮応力または引張応力が最大になり、その部材の表面での歪の大きさも最大になる。したがって、前扉の各側部における上下一対のヒンジ部間または係止部間の少なくとも中央部に歪検出素子を設けておけば、不正行為者によってこじ開けられる位置がヒンジ部間または係止部間の中央部から多少ずれたとしても、比較的大きな歪を検出することが可能になると考えられる。
【００１４】
以上の検討結果によって、本発明では、前扉の各側部における上下一対のヒンジ部間または係止部間の中央部に歪検出素子を配置することによって、確実に不正行為を検出することを可能にする。
【００１５】
また本発明によれば、歪検出素子は、前扉を正面視したとき左右方向の歪を検出するように取付けられる。歪検出素子の取付け方向を前記方向に設定する理由は、以下のとおりである。
【００１６】
ドライバーなどの棒状部材を用いてパチンコ機の側方から前扉と内枠との間をこじ開ける過程について検討すると、不正行為者は、先ず、前扉と内枠との間から、前記棒状部材の先端部を奥側のガラス窓寄りの方向に挿入する。そして、挿入した棒状部材の軸方向の中間部が内枠の端部に当接する箇所を支点にし、棒状部材の先端部を作用点、棒状部材の基端部を力点にして、ドライバーを梃子にして前扉を撓ませて内枠から離間させる。このように前扉に力が加えられた場合、棒状部材の先端部と前扉とが当接する位置で前扉を構成する板状部材が最もよく撓む。これに対して、ガラスまたはアクリルなどの透明部材が固定された透明窓部の周囲での撓みは小さく、またヒンジ部および係止部によって拘束されるために前扉の縁端での撓みは小さい。
【００１７】
ここで、撓みによる前扉の左右方向の曲率と上下方向の曲率とを比較すると、左右方向は前扉の縁端とガラス窓部とに挟まれた比較的幅狭の領域が主として撓むので曲率が大きいのに対して、上下方向は上下一対のヒンジ部または係止部で挟まれた比較的幅広の領域が撓むので曲率が小さくなる。この結果、前扉の側部を構成する板状部材の表面の歪の絶対値は、前扉の側部の左右方向のほうが側部の上下方向よりも大きくなる。
【００１８】
したがって、前扉を正面視したとき左右方向の歪を検出できるように歪検出素子を取付けて前扉の左右方向の歪を検出することによって、前扉の上下方向の歪を検出する場合よりも大きな歪の絶対値が検出され、不正行為が生じたときを確実に判定することができる。また、不正行為の有無を判定するとき、誤判定を避けるために歪の絶対値が予め定める基準値以上となったときを検出するが、前扉の上下方向の歪を検出する場合に比べて左右方向の歪を検出したほうが、基準値をより大きく設定することができるので、誤検出の可能性を低減させることができる。
【発明を実施するための最良の形態】
【００１９】
図１は、本発明の実施の一形態であるパチンコ機１において、前扉４が開いた状態での内枠３の外観を示す斜視図である。図２は、図１に示す本実施の形態のパチンコ機１で、内枠３が開いた状態での外枠２の外観を示す斜視図である。先ず、図１，２を参照して、本発明が適用されるパチンコ機１の構成について説明する。
【００２０】
図２に示すように、パチンコ機１は島設備に固定するための木製で正面視して縦長の矩形状の外枠２を備え、この外枠２に対して合成樹脂製の内枠３が、左側部の上下に設けられる一対のヒンジ部３ａ，３ｂを介して開閉自在に取付けられている。内枠３の開口部のうち外枠２側には機構盤６が取付けられ、外枠２と反対側には遊技盤５が取付けられる。この遊技盤５には、多数の釘および入賞口などが配設された遊技領域（図示省略）が形成される。また機構盤６には、パチンコ機１を制御するためのマイクロプロセッサおよびＲＡＭ（Random Access Memory）などの制御用回路が設けられた制御基板（図示省略）が配設されている。
【００２１】
また図１に示すように、内枠３の上方寄りに合成樹脂製の前扉４が、左側部の上下に設けられる一対のヒンジ部４ａ，４ｂを介して開閉自在に取付けられている。この前扉４には、前記遊技領域を覆う位置に透明窓部としてのガラス窓部７が設けられる。ガラス窓部７にはアクリル板のように可視光を透過する透明部材を用いてもよい。また図示を省略しているが、前扉４の下方には、遊技球が入賞したときに払い出される賞球を受ける上皿および下皿が内枠３に取付けられ、さらに前扉４の正面側から見て前扉４の右下隅には、遊技球の発射勢を調整するための調整ハンドルが内枠３に取付けられる。以下では、内枠３および前扉４が閉鎖された状態において、外枠２に対して前扉４側を前側または正面側といい、前扉４に対して外枠２側を後側または裏面側という。
【００２２】
これら外枠２、内枠３および前扉４は、扉開閉装置８によって相互に係止されて施錠される。図２に示すように、扉開閉装置８は、裏面側から見て内枠３の左側部に設けられ、正面側に突出する上下一対の鉤状の第１係合部１１ａ，１１ｂと、裏面側に突出する上下一対の鉤状の第２係合部１２ａ，１２ｂとを有する。第１および第２係合部１１ａ，１１ｂ，１２ａ，１２ｂが、内枠３の側部の中間部を避けて上下に設けられる理由は、内枠３の中央部に出来るだけ大きな遊技領域を確保するためである。前扉４の左側部のヒンジ部４ａ，４ｂも同様の理由で、左側部の上下に中間部を避けて配置されている。
【００２３】
図２に示すように、外枠２のうち各第２係合部１２ａ，１２ｂと対応する位置には、各第２係合部１２ａ，１２ｂを係脱自在に係止させるための上下一対の第２被係合部１３ａ，１３ｂが取付けられている。また図１に示すように、裏面側から見て前扉４の左側部には、板状の前扉支持部材３０が固着され、この前扉支持部材３０上で、前記第１係合部１１ａ，１１ｂと対応する位置に、各第１係合部１１ａ，１１ｂを係脱自在に係止させるための上下一対の第１被係合部３１ａ，３１ｂが設けられている。各第１係合部１１ａ，１１ｂとそれらが係合する各第１被係合部３１ａ，３１ｂとによって係止部が構成される。また、前扉支持部材３０の上下方向のほぼ中央には、シリンダ錠３２が鍵穴を正面側に突き出して設置されている。これら扉開閉装置８、前扉支持部材３０、ならびに各第１および第２被係合部３１ａ，３１ｂ，１３ａ，１３ｂは、金属板または硬質合成樹脂板を用いて形成される。
【００２４】
上述した扉開閉装置８は、内枠３および前扉４を係止するための公知の機構の一例を示すものである（たとえば特開平１０−３０９３６３参照）。以下、本実施の形態で用いられる扉開閉装置８の扉開閉機構について概説する。
【００２５】
図３は、図１，２に示す本実施の形態のパチンコ機１において、扉開閉装置８の外観を示す斜視図である。扉開閉装置８は、内枠３の裏面側から見た左側部に固着された内枠支持部材１６と、内枠支持部材１６に対して上下方向にスライドできるように設けられた前扉操作杆１８および内枠操作杆２０を含んで構成される。
【００２６】
前扉操作杆１８は、縦長の略長方形状の板状部材であり、前記第１係合部１１ａ，１１ｂが長手方向の両端部に設けられている。また長手方向の中央付近には、後述するカム３３の第１カム係合部３４が係合する第１カム被係合部２４が形成される。
【００２７】
内枠操作杆２０は、前扉操作杆１８と同様に縦長の略長方形状の板状部材であり、前記第２係合部１２ａ，１２ｂが長手方向の両端部に設けられている。また長手方向の中央付近に、後述するカム３３の第２カム係合部３５が係合する第２カム被係合部２５と、前扉４の開放後にさらに内枠３を開放するための内枠開放レバー２６が設けられる。
【００２８】
内枠支持部材１６は、断面Ｌ字状に形成され、内枠３の裏面側から見て左側部に固定された固定片１６ａと、固定片１６ａの幅方向の一端から直角に形成された案内片１６ｂとを含んで構成される。固定片１６ａには、前扉操作杆１８および内枠操作杆２０をスライド可能に保持するための複数の案内突片２１が形成されている。具体的には、案内片１６ｂに前扉操作杆１８、内枠操作杆２０の順に重ねられ、案内突片２１によってガイドされることによって、内枠支持部材１６に沿って前扉操作杆１８および内枠操作杆２０がスライド可能になっている。また固定片１６ａと、前扉操作杆１８および内枠操作杆２０との間には、ばね２２，２３がそれぞれ設けられていて、前扉操作杆１８および内枠操作杆２０は鉛直上方に付勢される。また内枠支持部材１６の上端部には上下方向に細長い形状の溝部２７が形成され、さらに中央部と下端寄りとに上下方向に細長い第１長孔部２８と第２長孔部２９とがそれぞれ形成される。溝部２７は、上端側の第１係合部１１ａをパチンコ機１の正面側に突出させるために設けられ、第１長孔部２８は、第１カム被係合部２４と第２カム被係合部２５と内枠開放レバー２６とを正面側に突出させるために設けられ、第２長孔部２９は、下端側の第１係合部１１ｂを正面側に突出するために設けられる。前扉４または内枠３を開放させるときに、前扉操作杆１８または内枠操作杆２０は常態より押し下げられるので、溝部２７、第１長孔部２８および第２長孔部２９は、下方に長く設けられている。
【００２９】
図３に示すように、前扉４に固着されたシリンダ錠３２の後側には、シリンダ錠３２の回動軸３６を中心に回動可能なようにカム３３が設けられている。カム３３には、正面視して左側に第１カム係合部３４が形成され、右側に第２カム係合部３５が形成される。第１カム係合部３４は、回動軸３６に垂直方向に延設され、前述した前扉操作杆１８の第１カム被係合部２４に当接する。シリンダ錠３２が反時計回り、すなわち第１カム係合部３４が下向きに回動されると、第１カム被係合部２４を介して前扉操作杆１８が下方に押されて、前扉操作杆１８は、ばね２２に抗して下方にスライドする。この結果、第１係合部１１ａ，１１ｂと第１被係合部３１ａ，３１ｂとの係合が解除され、前扉４が開放される。また第２カム係合部３５は、回動軸３６に平行方向に延設され、前述した内枠操作杆２０の第２カム被係合部２５に当接する。シリンダ錠３２が時計回り、すなわち第２カム係合部３５が下向きに回動されると、第２カム被係合部２５を介して内枠操作杆２０が下方に押されて、内枠操作杆２０は、ばね２３に抗して下方にスライドする。この結果、第２係合部１２ａ，１２ｂと第２被係合部１３ａ，１３ｂとの係合が解除され、内枠３が開放される。なお、前扉４の開放後に内枠３を開放させるには、内枠開放レバー２６を下方に手で押すことによって、内枠操作杆２０がばね２３に抗して下方にスライドさせる。
【００３０】
このように構成されるパチンコ機１に対する不正行為の１つとして、ドライバーまたは釘抜きなどの道具を用いる行為がある。具体的には、不正行為者は、前扉４と内枠３との間をドライバーまたは釘抜きなどの道具を用いてこじ開けて、生じた隙間からピアノ線などの針金部材またはアクリル板などの合成樹脂の薄板を挿入する。そして、挿入したピアノ線などによって、たとえば始動入賞口の直上にある一対の入賞率調整用のへそ釘の傾きを変えたり、大入賞口の前面に設けられた開閉扉を開放させたりして、不正に賞球を獲得する。このような不正行為を防止するためには、不正行為の最初の段階である、前扉４と内枠３との間をドライバーなどによってこじ開けられたことを検出するのが、不正行為を未然に防止できるので効果的である。そこで、ドライバーなどの棒状部材を用いてパチンコ機１の前扉４と内枠３との間をこじ開ける過程について次に検討する。
【００３１】
図４は、図１，２に示す本実施の形態のパチンコ機１において、前扉４と内枠３との間にドライバー６０を挿入して前扉４をこじ開けた状態を模式的に示す斜視図である。通常、前扉４は、全体として軽量となるように、装飾施工された正面側の樹脂成形部材と裏面側の裏板とによって構成される。裏板は合成樹脂または金属によって形成される。正面側の部材と裏板とを合成樹脂を用いて一体成形することも可能である。図４に示す二点鎖線は、裏板の裏面側の表面形状について、凹凸を誇張して表したものである。
【００３２】
ドライバー６０などの棒状部材を用いてパチンコ機１の前扉４と内枠３との間を不正にこじ開ける過程について検討すると、前扉４の下方からこじ開けるのは、上皿および下皿（いずれも図示省略）があるので容易ではなく、また前扉４の上方からこじ開けるのは、他人の目に触れ易い。したがって、不正行為を行う者は、前扉４の側方からこじ開けるものと考えられる。
【００３３】
前扉４の側方からこじ開ける場合、各側部の上下はヒンジ部４ａ，４ｂ、および第１係合部１１ａ，１１ｂと第１被係合部３１ａ，３１ｂとが互いに係合された係止部によって固定されているので、不正行為者は、ヒンジ部４ａ，４ｂおよび係止部が設けられていない部分からドライバー６０などの棒状部材を挿入することになる。たとえば、図４は、正面側から見て左側部側の上下一対のヒンジ部４ａ，４ｂ間の中央部において、ドライバー６０の軸６１などの棒状部材を前扉４の縁端６５からガラス窓部７寄りの方向へ挿入した場合を示したものである。
【００３４】
図４に示すように、不正行為者は、挿入したドライバー６０の軸６１の先端部が前扉４の裏板に当接する箇所６３を作用点、ドライバー６０の軸６１と内枠３の縁端とが接する箇所６２を支点、ドライバーの柄の基端部６４を動作点として、ドライバー６０を梃子のように使って前扉４を撓ませて内枠３から離間させるものと考えられる。このように前扉４に力が加えられるときは、ドライバー６０の軸６１の先端部が当接する箇所で前扉４の裏板が最もよく撓む。これに対して、弾性係数の比較的大きいガラスが固定されたガラス窓部７の周囲での撓みは小さく、またヒンジ部４ａ，４ｂおよび係止部によって拘束されるために前扉４の縁端６５での撓みは小さい。前扉４の裏板が撓むことによって、裏板の裏面側の表面では圧縮応力が生じて負の歪が生じ、裏板の正面側の表面では引張応力が生じて正の歪が生じる。歪の絶対値はドライバー６０の軸６１の先端部が当接する箇所で最も大きくなる。
【００３５】
ここで、撓みによる前扉４の左右方向Ｘの曲率と上下方向Ｙの曲率とを比較すると、左右方向Ｘは前扉４の縁端６５とガラス窓部７とに挟まれた比較的幅狭の領域が主として撓むので曲率が大きいのに対して、上下方向Ｙは上下一対のヒンジ部４ａ，４ｂまたは係止部で挟まれた比較的幅広の領域が撓むので曲率が小さくなる。この結果、前扉４の側部の裏板の歪の絶対値は、前扉４の側部の左右方向Ｘの方が側部の上下方向Ｙよりも大きくなる。
【００３６】
以上の検討結果は、ドライバー６０を挿入する位置を前扉４の上下方向Ｙにずらした場合も同様であり、ドライバー６０の軸６１の先端部が当接する箇所で最も歪の絶対値が大きく、また側部の左右方向Ｘの歪の絶対値の方が、上下方向Ｙの歪の絶対値よりも大きくなる。しかしながら、前扉４の裏板に外力を加える位置が、上下のヒンジ部４ａ，４ｂまたは係止部に近づくほど、隙間を生じさせるために大きな力が必要になるので、不正行為者は、なるべく各側部の中央部に近い位置をこじ開けるものと考えられる。
【００３７】
したがって、前扉４の各側部における上下一対のヒンジ部４ａ，４ｂ間または係止部間の中央部で、各側部の左右方向Ｘの歪の大きさを検出できるように歪検出素子を設けておけば、比較的大きな歪を検出できて不正行為の有無を確実に判定することができる。ドライバー６０が挿入される位置が中央部から上下方向Ｙに多少ずれたとしても、中央部での前扉４の裏板の撓みはヒンジ部４ａ，４ｂおよび係止部の近傍よりも大きいので、十分な感度で歪の検出が可能であると考えられる。そこで次に、本実施の形態で用いる歪検出素子と、その歪検出素子を用いて不正行為の有無を判定するための歪判定回路および判定手順について説明する。
【００３８】
図５は、本実施の形態の歪検出素子の原理を説明するための説明図である。また図６は、本実施の形態の歪検出素子の構成の一例を示す正面図である。
【００３９】
本実施の形態の歪検出素子は、所定の検出方向への単位長さあたりの伸びまたは縮みを検出する素子をいう。具体的には、フィルム状の絶縁物に形成された金属薄膜を利用して金属抵抗の変化を測定する金属抵抗歪ゲージ、およびシリコンなどの半導体の抵抗を利用した半導体歪ゲージを例示することができる。
【００４０】
歪検出素子の原理について図５を用いて説明する。図５において長さＬの棒状の材料７０の両端に引張力Ｐが作用して、長さがΔＬだけ増加し、Ｌ＋ΔＬに変形したとする。このときの長さの増分ΔＬと元の長さＬとの比の値εを歪という。この歪εの大きさは材料７０の抵抗を測定することによって検出することができる。具体的には、図５において、長さＬの材料７０の長さ方向に電流を流したときの抵抗をＲとし、引張力Ｐによって長さがＬ＋ΔＬに伸張したときの材料７０の抵抗がΔＲだけ増加して、Ｒ＋ΔＲに変化したとすると、発生した歪に対応した抵抗変化と歪との関係は次式（１）のように表される。式（１）において、Ｋはゲージ率と呼ばれる定数であり、材料７０によって決まる。なお、式（１）において、長さの増分ΔＬが負の場合、すなわち材料Ｌが長さ方向に縮んだ場合には、抵抗の増分ΔＲは負になり歪εも負になる。
【００４１】
【数１】
2008125848.tif 000003
【００４２】
図６に示した歪検出素子は、単軸の金属抵抗歪ゲージ７２であり、図６の左右方向に高い検出感度を有する。検出感度が高い図６の左右方向をｘ方向または歪検出方向といい、ｘ方向に垂直な図６の上下方向をｙ方向ということにする。金属抵抗歪ゲージ７２は歪を測定を行う箇所に接着剤を用いて貼り付けられて使用される。
【００４３】
図６において、金属抵抗歪ゲージ７２は、薄い電機絶縁物のベース７３と、そのベース７３表面上に形成される、つづら折状に多数回折り返された線状の金属配線パターン７４とを備える。金属配線パターン７４は金属箔をエッチングして形成される。具体的には、金属配線パターン７４は、ｘ方向に延びる直線状パターンが互いに平行に複数本並んだ検出部７４ａと、検出部７４ａのｘ方向両端部に設けられる折り返し部７４ｂとを含み、検出部７４ａのｘ方向の長さは、各直線状パターン間の間隔よりも長い。そして、検出部７４ａに形成される直線状パターンがｘ方向に伸縮することによって生じる抵抗の変化を検出することにより歪測定が行われる。さらに図４の金属抵抗歪ゲージ７２には、金属配線パターン７４の両端に形成された電極パッド７５と、各電極パッド７５に接続されている引出線７６とが設けられている。引出線７６は、後述する図７において説明する歪検出回路９０に接続される。
【００４４】
図４において前述したように、前扉４の各側部の左右方向Ｘの歪を検出すると、不正行為によって生じる歪の検出感度が大きい。したがって、図６に示す金属抵抗歪ゲージ７２を用いて歪検出を行う場合には、歪検出方向であるｘ方向を前扉の各側部の左右方向Ｘに一致させるのが好ましい。さらに金属抵抗歪ゲージ７２は各側部の上下一対のヒンジ部４ａ，４ｂ間または上下一対の係止部間の中央部に配置するのがよい。このような金属抵抗歪ゲージ７２の配置例を図１に示す。図１において、金属抵抗歪ゲージ７２は前扉４の裏板の裏面側の表面に貼り付けてもよいし、前扉４の内部である、裏板の正面側の表面に貼り付けてもよい。なお、前扉４の裏面側に貼り付けた場合には、金属抵抗歪ゲージ７２の表面に保護膜を設けて、金属抵抗歪ゲージ７２が損傷しないようにする。また、図１においては図示していないけれども、金属抵抗歪ゲージ７２から前扉４の内部を通り、ヒンジ部４ａ，４ｂが設けられる側の側部を介して内枠３の裏面側の機構盤６に至る電気配線が設けられる。この電気配線は機構盤６に設けられた制御基板(図示省略）の後述する歪検出回路９０に接続される。
【００４５】
図７は、本実施の形態のパチンコ機１における歪検出回路９０の構成を示すブロック図である。
【００４６】
本実施の形態のパチンコ機１の不正検出装置の歪検出回路９０は、前述した金属抵抗歪ゲージ７２、および第１〜第３抵抗体９１〜９３によって構成されるホイートストンブリッジと、ホイートストンブリッジへの入力電圧Ｖｃｃを印加するための直流電源９４と、ホイートストンブリッジからの出力電圧を増幅する差動増幅器９５と、入力電圧Ｖｃｃおよび増幅された出力電圧をデジタル変換するためのＡ／Ｄ変換器（アナログ／デジタル変換器）９６，９７と、デジタル化された入力電圧Ｖｃｃおよび出力電圧から歪εを計算するマイクロコンピュータ９８とを含んで構成される。マイクロコンピュータ９８は、図示を省略したマイクロプロセッサ、ＲＡＭ（Random Access Memory）およびＲＯＭ（Read 
Only Memory）などを備える。これらの歪検出回路９０の各構成要素は金属抵抗歪ゲージ７２を除いて機構盤６に設けられた制御基板上に配置される。
【００４７】
ここで、金属抵抗歪ゲージ７２と各抵抗体９１〜９３によって構成されるホイートストンブリッジの接続関係について具体的に説明すると、先ず、第１抵抗体９１および第２抵抗体９２の各一端部に直流電源９４が接続されて正電圧Ｖｃｃが入力される。そして、第１抵抗体９１の他端部には、一端部が接地された金属抵抗歪ゲージ７２の他端部が接続され、第２抵抗体９２の他端部には、一端部が接地された第３抵抗体９３の他端部が接続される。このような接続によって、第１抵抗体９１および金属抵抗歪ゲージ７２間に生じた電位をＶａとし、第２抵抗体９２および第３抵抗体９３間に生じた電位をＶｂとする。そうすると、差動増幅器９５には、ホイートストンブリッジからの出力電圧として電位差ΔＶ＝Ｖａ−Ｖｂが入力され、増幅された出力電圧ΔＶはマイクロコンピュータ９８に入力されることになる。
【００４８】
次に、図７に示した歪検出回路９０を用いた歪εの測定原理について説明する。
第１〜第３抵抗体９１〜９３の各抵抗値、および歪εが生じていない状態での金属抵抗歪ゲージ７２の抵抗値をそれぞれＲ［Ω］とし、金属抵抗歪ゲージ７２に歪εが生じたときの抵抗の増分をΔＲ［Ω］とする。このとき前述した電位Ｖａ，Ｖｂの値、電位差ΔＶ＝Ｖａ−Ｖｂの値は次式で表される。
【００４９】
【数２】
2008125848.tif 000004
式（２）に式（１）を代入して、歪εについて解くと次式（３）が得られる。
【００５０】
【数３】
2008125848.tif 000005
【００５１】
式（３）から明らかなように、歪εは、ホイートストンブリッジへの入力電圧Ｖｃｃと、ホイートストンブリッジからの出力電圧ΔＶと、金属抵抗歪ゲージ７２のゲージ率Ｋとが与えられることによって計算することができる。図７に示す歪検出回路９０では、マイクロコンピュータ９８に予めゲージ率Ｋを記憶させ、入力電圧Ｖｃｃと出力電圧ΔＶをデジタル変換してマイクロコンピュータ９８に入力することによって、マイクロコンピュータ９８が式（３）に従った計算を行って歪εを求める。求められた歪εに基づいて、マイクロコンピュータ９８は、不正行為があったか否かを判定し、不正行為があったと判定した場合には報知のための信号を出力する。すなわちマイクロコンピュータ９８は判定手段として機能する。
【００５２】
ここで、不正行為者によって、金属抵抗歪ゲージ７２が破壊されて断線された場合には、Ｖａの値はＶｃｃに等しくなり、Ｖｂの値はＶｃｃ／２に等しくなる。したがって、出力電圧はΔＶ＝Ｖａ−Ｖｂ＝Ｖｃｃ／２となり、断線されていない場合よりもはるかに大きな値になるので、差動増幅器９５がオーバーフローすることになる。このことを利用して、出力電圧ΔＶが予め定める値以上になった場合を検知できるようにすれば、不正行為者によって、金属抵抗歪ゲージ７２が破壊された場合が判定可能になる。
【００５３】
次に、不正行為の有無の具体的な判定手順について説明する。
図８は、図７に示す歪検出回路９０を構成するマイクロコンピュータ９８によって不正行為の有無を判定する手順を示すフローチャートである。図８に示す手順は、パチンコ機１に電源を投入することによってスタートする。以下の手順は、特に断らない場合には、マイクロコンピュータ９８を構成するマイクロプロセッサによって実行される。また検出される歪は正と負の両方があるので、歪の大きさεは歪の絶対値を表すものとする。
【００５４】
ステップｓ１ではＲＯＭの記憶領域から歪の大きさの基準値εｓが読み出され、ＲＡＭの基準値記憶領域に記憶され、次のステップｓ２に移る。
【００５５】
ステップｓ２では、歪検出回路９０のホイートストンブリッジへの入力電圧Ｖｃｃ、およびホイートストンブリッジからの出力電圧ΔＶが、Ａ／Ｄ変換器９６，９７によってデジタル変換される。その後、マイクロコンピュータに入力されて、ＲＡＭの電圧記憶領域に記憶される。
【００５６】
次のステップｓ３では、ＲＡＭに記憶された入力電圧Ｖｃｃおよび出力電圧ΔＶから歪の大きさεが計算される。
【００５７】
次のステップｓ４では、マイクロプロセッサは、歪の大きさεが予め定める基準値εｓ以上であるかを判定する。歪の大きさεが基準値εｓ以上のときにはステップｓ５に進み、基準値εｓ未満のときにはステップｓ２に戻り、再び、歪検出回路９０のホイートストンブリッジへの入力電圧Ｖｃｃおよびホイートストンブリッジからの出力電圧ΔＶを測定する。
【００５８】
ステップｓ５では、不正があったことを音および光などで報知したり、パチンコホールの管理用のコンピュータに出力したりするために信号を出力する。以上で、不正行為の有無を判定する手順が終了する。
【００５９】
このようにマイクロプロセッサによって、予め定める基準値εｓ以上の歪の大きさの変化が生じたことが判定されるので、パチンコ機１を手で押さえるなどの不正行為と言えないような場合までが検出されることはない。また、金属抵抗歪ゲージ７２が前扉４の各側部のヒンジ部４ａ，４ｂ間または係止部間の中央部に設置され、さらに歪検出方向ｘが各側部の左右方向Ｘに一致するように配置されるので、比較的大きな歪が確実に検出できる。したがって、本実施の形態のパチンコ機１によれば、誤検出を報知することによって遊技者に不快な思いをさせることが少ない。
【００６０】
上述の実施の形態は、本発明の例示に過ぎず、本発明の範囲内において構成を変更することができる。たとえば上述の実施の形態では、ドライバーを梃子のように用いることを想定したので、図１に示すように金属抵抗歪ゲージ７２の歪検出方向であるｘ方向を左右方向に一致させたけれども、歪検出方向を図１の上下方向に設定することも可能である。ドライバーを梃子のように用いずに、たとえば複数のドライバーを内扉３と外枠４との間に差し込むことによって隙間を生じさせる場合には左右方向の撓みよりも上下方向の撓みのほうが大きいと考えられる。この場合には歪検出方向を上下方向に一致させた方が有効である。さらに左右方向および上下方向の検出が可能な２軸の歪ゲージを用いれば、不正行為をより精度良く検出することができる。
【００６１】
また図７に示す歪検出回路９０では、簡単のために第１〜第３抵抗体９１〜９３の大きさを、歪のないときの金属抵抗歪ゲージ７２の抵抗値Ｒと同一にしたけれども、第１〜第３抵抗体９１〜９３の大きさをそれぞれＲ１、Ｒ２、Ｒ３として、金属抵抗歪ゲージ７２の抵抗値Ｒと異なる抵抗値にしてもよい。このような抵抗値の設定で、かつＲ１：Ｒ２＝Ｒ：Ｒ３の関係式を満たせば、金属抵抗歪ゲージ７２に歪がないときにはホイートストンブリッジブリッジの出力電圧ΔＶは０［Ｖ］になる。そして、金属抵抗歪ゲージ７２に歪εが生じて抵抗がΔＲ［Ω］だけ増加したときには、その抵抗の増分に応じた出力電圧ΔＶが得られるので、図７に関連して説明した場合と同様に歪の大きさを求めることができる。
【００６２】
また図８に示すフローチャートにおいて、長さの増分を元の長さで割った値である歪の大きさを基準にして、測定された歪と比較したけれども、歪を比較をせずに長さの増分をその長さの増分の基準値と比較しても同様の作用効果が得られる。
【００６３】
また図８に示すフローチャートにおいて、電源投入時の初期状態における歪の大きさε０を最初に測定しておいて、ステップｓ４では、現在の歪の大きさεと初期歪の大きさε０との差分ε−ε０を、歪の大きさの基準値εｓと比較してもよい。周囲温度の変化によって第１〜第３抵抗体９１〜９３の抵抗値が変動したり、差動増幅器９５がドリフトしたりして、金属抵抗歪ゲージ７２に歪が生じていない初期状態で出力電圧ΔＶに有限の値が生じる場合があり、このような場合に初期状態との差を求めることは、精度の良い測定のために有効である。
【図面の簡単な説明】
【００６４】
【図１】本発明の実施の一形態であるパチンコ機１において、前扉４が開いた状態での内枠３の外観を示す斜視図である。
【図２】図１に示す本実施の形態のパチンコ機１で、内枠３が開いた状態での外枠２の外観を示す斜視図である。
【図３】図１，２に示す本実施の形態のパチンコ機１において、扉開閉装置８の外観を示す斜視図である。
【図４】図１，２に示す本実施の形態のパチンコ機１において、前扉４と内枠３との間にドライバー６０を挿入して前扉４をこじ開けた状態を模式的に示す斜視図である。
【図５】本実施の形態の歪検出素子の原理を説明するための説明図である。
【図６】本実施の形態の歪検出素子の構成の一例を示す正面図である。
【図７】本実施の形態のパチンコ機１における歪検出回路９０の構成を示すブロック図である。
【図８】図７に示す歪検出回路９０を構成するマイクロコンピュータ９８によって不正行為の有無を判定する手順を示すフローチャートである。
【符号の説明】
【００６５】
１  パチンコ機、  ２  外枠、  ３  内枠、  ３ａ，３ｂ，４ａ，４ｂ  ヒンジ部、  ４  前扉、  ５  遊技盤、  ６  機構盤、  ７  ガラス窓部、  ８  扉開閉装置、  １１ａ，１１ｂ  第１係合部、  １２ａ，１２ｂ  第２係合部、  １３ａ，１３ｂ  第２被係合部、  ３１ａ，３１ｂ  第１被係合部、  ３２  シリンダ錠、  ７２  金属抵抗歪ゲージ、  ９０  歪検出回路
【図１】
2008125848.tif 000006
【図２】
2008125848.tif 000007
【図３】
2008125848.tif 000008
【図４】
2008125848.tif 000009
【図５】
2008125848.tif 000010
【図６】
2008125848.tif 000011
【図７】
2008125848.tif 000012
【図８】
2008125848.tif 000013